(57)【要約】【課題】画像形成装置における起動時の消費電力を低減する。【解決手段】消費電力量の異なる複数の動作モードを択一的に実行する画像形成装置２０において、画像出力手段７２と、画像形成装置２０に対する画像形成指令の受信部５２を含む各部を制御する制御手段６０と、画像出力手段７２と制御手段６０とに電源供給する電源供給手段４０と、画像形成装置２０に対して電源供給が開始されたとき、画像出力手段７２及び／又は制御手段６０に対する省電力モードで起動する電源供給制御手段都を備えるようにする。こうすることで、起動時の消費電力を効果的に低減できる。【選択図】    図１
2006272636.tif 000002
【特許請求の範囲】
【請求項１】
消費電力量の異なる複数の動作モードを択一的に実行する画像形成装置であって、
画像出力手段と、
前記画像形成装置に対する画像形成指令の受信部を含む各部を制御する制御手段と、
前記画像出力手段と前記制御手段とに電源供給する電源供給手段と、
前記画像形成装置に対して電源の供給が開始されたとき、前記画像出力手段及び／又は前記制御手段に対する省電力モードで起動する電源供給制御手段と、
を備える、画像形成装置。
【請求項２】
前記省電力モードは、前記制御手段にのみ電源を供給するモードである、請求項１に記載の画像形成装置。
【請求項３】
前記制御手段への電源供給を開始又は停止するタイマー手段を備える、請求項２に記載の画像形成装置。
【請求項４】
前記電源供給手段は、前記画像出力手段と前記制御手段のそれぞれに別個の供給経路で電源を供給する手段である、請求項１〜３のいずれかに記載の画像形成装置。
【請求項５】
前記電源供給制御手段は、電源供給開始後、前記制御手段が画像形成指令を受信するまで省電力モードを維持する手段である、請求項１〜４のいずれかに記載の画像形成装置。
【請求項６】
前記省電力モードを解除して画像出力手段への電源供給を開始して出力動作可能な状態とするタイマー手段を備える、請求項１〜５のいずれかに記載の画像形成装置。
【請求項７】
前記電源供給制御手段は、前記画像出力手段からの画像出力完了信号を受信したとき、前記画像出力手段への電源供給を停止する手段である、請求項１〜６のいずれかに記載の画像形成装置。
【請求項８】
消費電力量の異なる複数の動作モードを択一的に実行する画像形成装置の制御方法であって、
前記画像形成装置は、画像出力手段と、前記画像形成装置に対する画像形成指令の受信部を含む各部を制御する制御手段と、前記画像出力手段と前記制御手段とに電源供給する電源供給手段と、を備えており、
前記画像形成装置に対して電源供給が開始されたとき、前記画像出力手段及び／又は前記制御手段に対する省電力モードで起動するステップを備える、制御方法。
【請求項９】
請求項８に記載の画像形成装置の制御方法のステップを１又は複数のコンピュータに実行させる、プログラム。
【発明の詳細な説明】
【技術分野】
【０００１】
本発明は、画像形成装置、画像形成装置の制御方法及びプログラムに関し、詳しくは、画像形成装置に電源の供給が開始されたときに無駄な電力の消費を低減できる画像形成装置、その制御方法及びプログラムに関する。
【背景技術】
【０００２】
従来、プリンタやファクスなどの画像形成装置においては、電源スイッチが操作されるなどして電源の供給が開始されたとき、定着ローラーのウォームアップ動作や各種の調整動作が実行されて印刷動作可能な状態となる。そして、その後一定期間プリント信号がなければ省電力モードに移行することになる。こうした待機時間を省くために、印刷動作可能な状態になった後、直ちにあるいは印刷指令を出力する外部装置の状況や周囲の環境を感知して節電モードに移行して消費電力を抑制しようとするものがある（特許文献１）。
【特許文献１】特開平７−２８１８５２号公報
【発明の開示】
【発明が解決しようとする課題】
【０００３】
しかしながら、プリンタに電源を投入するとき、必ずしもすぐに印刷を実行する場合ばかりとは限られない。オフィス等では最初の出勤者が習慣的にプリンタの電源を投入する場合もあるし、タイマーでプリンタの電源管理がされている場合もある。こうした場合であっても、電源スイッチの操作とともに印刷動作可能な状態に起動することは、電力の無駄な消費となる。
【０００４】
そこで、本発明は、電源供給開始時の電力消費を低減することができる画像形成装置、画像形成装置の制御方法及びプログラムを提供することを一つの目的とする。また、本発明は、電源供給開始時の電力消費の低減を容易に行うことのできる画像形成装置、画像形成装置の制御方法及びプログラムを提供することを他の一つの目的とする。
【課題を解決するための手段】
【０００５】
本発明によれば、上記した課題の少なくとも一つを解決するものとして、以下の手段が提供される。
【０００６】
本発明の一つの態様は、
消費電力量の異なる複数の動作モードを択一的に実行する画像形成装置であって、
画像出力手段と、
前記画像形成装置に対する画像形成指令の受信部を含む各部を制御する制御手段と、
前記画像出力手段と前記制御手段とに電源供給する電源供給手段と、
前記画像形成装置に対して電源供給が開始されたとき、前記画像出力手段及び／又は前記制御手段に対する省電力モードで起動する電源供給制御手段と、
を備える、画像形成装置を要旨とする。
【０００７】
この画像形成装置によれば、画像形成装置に対して電源供給が開始されたとき、省電力モードで起動される。すなわち、電源供給が開始されたときであっても、画像出力動作可能な状態とはされない。このため、無駄な起動動作が排除され、電源スイッチやタイマーにより電源供給が開始されても、必要性の低い起動動作のために無駄な電力が消費されることがない。なお、ここで、「省電力モード」とは、起動時において、通常設定されている動作モードよりも電力消費量の少ない動作モードであればよい。例えば起動時において通常設定されている動作モードとは、レーザプリンタであれば、電源投入時のウォームアップ動作モードである。
【０００８】
この画像形成装置においては、前記省電力モードは、前記制御手段にのみ電源を供給するモードとすることができる。こうすることで、画像出力手段を起動するための動作を排除してこれに用いる電力消費の無駄を回避しつつ、制御手段は印刷指令等を待機することができる。
【０００９】
前記電源供給手段は、前記画像出力手段と前記制御手段のそれぞれに別個の供給経路で電源を供給する手段とすることができる。こうすることで、前記制御手段への電源供給の開始及び停止を容易に行うことができる。なお、この態様においては、前記制御手段への電源供給を開始又は停止するタイマー手段を備えることができる。こうすることで、電源供給開始とともに前記制御手段にのみ電源供給を開始することが容易に時間管理され、電源供給の開始及び停止を自動化しつつ電力消費を低減することができる。
【００１０】
前記電源供給制御手段は、電源供給開始後、前記制御手段が画像形成指令を受信するまで省電力モードを維持する手段とすることができる。こうすることで、画像形成指令を受けて初めて省電力モードが解除されるため、電力消費が効果的に低減される。
【００１１】
また、前記省電力モードを解除して画像出力手段への電源供給を開始して出力動作可能な状態とするタイマー手段を備えることができる。こうしたタイマー手段を備えることで、省電力モードで起動後に印刷動作可能となる時間が管理されるため、画像出力が頻繁に行われる時間に合わせて、印刷動作可能な状態にすることができる。したがって、電源供給開始時の電力消費の無駄を回避しつつ、出力頻度の高い時間帯に印刷動作可能として利便性を確保することができる。なお、この後一定期間経過後に、印刷動作可能な状態よりも省電力なモード（例えば、制御手段において制御信号等を検知可能な程度に電源供給がなされるモード）に移行させることもできる。
【００１２】
前記電源供給制御手段は、前記画像出力手段からの画像出力完了信号を受信したとき、前記画像出力手段への電源供給を停止する手段とすることができる。こうすることで、出力完了信号受信後の待機時間のための電力消費を回避できる。
【００１３】
また、本発明の別の態様は、
消費電力量の異なる複数の動作モードを択一的に実行する画像形成装置の制御方法であって、
前記画像形成装置は、画像出力手段と、前記画像形成装置に対する画像形成指令の受信部を含む各部を制御する制御手段と、前記画像出力手段と前記制御手段とに電源供給する電源供給手段と、を備えており、
前記画像形成装置に対して電源供給が開始されたとき、前記画像出力手段及び／又は前記制御手段に対する省電力モードで起動するステップを備える、制御方法を要旨とする。
【００１４】
この画像形成装置の制御方法によれば、画像形成装置に対して電源供給が開始されたとき、省電力モードで起動される。すなわち、電源供給が開始されたときであっても、画像出力動作可能な状態とはされない。このため、無駄な起動動作が排除され、電源スイッチやタイマーにより電源供給が開始されても、必要性の低い起動動作のために無駄な電力が消費されることがない。
【００１５】
また、本発明のさらに別の態様は、
上記の画像形成装置の制御方法のステップを１又は複数のコンピュータに実行させる、プログラムを要旨とする。
【００１６】
このプログラムによれば、画像形成装置に対して電源供給が開始されたとき、省電力モードで起動され、画像出力動作可能な状態とはされない。このため、無駄な起動動作が排除され、電源スイッチやタイマーにより電源供給が開始されても、必要性の低い起動動作のために無駄な電力が消費されることがない。なお、このプログラムは、コンピュータが読み取り可能な記憶媒体（例えば、ハードディスク、ＲＯＭ、ＦＤ、ＣＤ、ＤＶＤ）などに記録されていてもよいし、伝送媒体（インターネットやＬＡＮなどの通信網）を介してあるコンピュータから他のコンピュータに配信されたものであってもよいし、その他どのような形態で授受されたものであってもよい。
【発明を実施するための最良の形態】
【００１７】
次に、本発明の実施の形態について実施例を挙げて説明する。
【実施例】
【００１８】
図１は、本発明の画像形成装置としてのカラーレーザプリンタ２０を含むネットワーク構成及びカラーレーザプリンタ２０の電源供給構成の概略を示す図であり、図２は、画像形成装置としてのカラーレーザプリンタ２０の構成の概略を示す図であり、図３はカラーレーザプリンタ２０のコントローラ６０における制御信号の入出力を示すブロック図である。
【００１９】
図１に、ＬＡＮ（Local Area Network）１２に接続されたカラーレーザプリンタ２０（以下、単にプリンタ２０という。）と、プリンタ２０に印刷ジョブの実行指令を出力する印刷ジョブ送信装置としてのクライアントコンピュータ（以下、単にクライアントという）８０とを示す。
【００２０】
また、図１に示すように、プリンタ２０は、電源部４０として、商用電源電圧のコンセントに電源ケーブルを介して接続される電源コネクタ４１と、電源スイッチ４２と、コントローラ６０への電源供給の開始及び停止を時間管理するタイマー４３とを備えている。電源部４０は、コントローラ６０側と、出力エンジン部５０とこれをコントロールする出力エンジンコントローラ７０とを備える出力エンジンユニット７２とに対してそれぞれ別個の電源供給路４５，４６を備えている。タイマー４３は、電源供給路４５上にある電源スイッチ４４をオン／オフ操作することができるようになっているとともに、図示しない別個の電源部から電源が供給されている。
【００２１】
さらに、プリンタ２０は、ネットワークプリンタとして機能するように図示しないＬＡＮボードを備えている。
【００２２】
また、図２に示すように、プリンタ２０は、単一感光体方式と中間転写方式とを採用したフルカラーの電子写真方式の画像形成装置として構成されており、図２に例示するように、シアン（Ｃ）、マゼンタ（Ｍ）、イエロー（Ｙ）、ブラック（Ｋ）の４色に色分解された各色の画像を帯電された感光体２１上にレーザを照射して静電潜像として形成する露光器２２と、装着された各色のトナーカートリッジ３２Ｃ、３２Ｍ、３２Ｙ、３２Ｋから供給される各色のトナーを用いて感光体２１上に形成された静電潜像をトナー像として現像する現像器２３と、感光体２１上に現像された各色のトナー像を転写ベルト２４に重ねて転写してカラートナー像を形成する一次転写ユニット２５と、用紙カセット２６から用紙を搬送する搬送ユニット２７と、搬送された用紙に転写ベルト２４に形成されたカラートナー像を転写する二次転写ユニット２８と、転写されたカラートナー像を用紙に融着定着させて排紙する定着ユニット２９と、プリンタ２０全体の動作を制御するコントローラ６０とを備えている。
【００２３】
コントローラ６０は、図３に示すように、ＣＰＵ６１やＲＡＭ６２，ＲＯＭ６３等を中心としたマイクロプロセッサとして構成されており、各種センサ（例えば、定着ユニット２９の定着ローラー温度やその近傍の雰囲気温度を検出する各種温度センサや定着ユニット近傍の湿度を検出する湿度センサなど）による検出値やその他の入力信号（例えば、クライアントからの印刷ジョブ送信信号など）がインターフェース５２を介して入力され、これらの入力信号に基づいて露光器駆動制御部６４や現像器駆動制御部６５、一次転写ユニット駆動制御部６６，二次転写ユニット駆動制御部６７，定着ユニット駆動制御部６８，搬送ユニット駆動制御部６９などを備える出力エンジンコントローラ７０を介して、露光器２２や現像器２３，一次転写ユニット２５，二次転写ユニット２８，定着ユニット２９，搬送ユニット２７などを備える出力エンジン部５０を制御する。なお、本明細書においては、出力エンジン部５０及び出力エンジンコントローラ７０を出力エンジンユニット７２というものとする。
【００２４】
ＲＯＭ６３には、プリンタ２０の各部を制御して印刷ジョブを実行するプログラムのほか、プリンタ２０において、後述する電源供給開始及び停止のための処理を実行するプログラムが記憶されている。
【００２５】
クライアント８０は、図示しないコントローラを有しており、ＬＡＮ１２を介してプリンタ２０に対して印刷ジョブを送信可能に接続されている。
【００２６】
こうして構成されるプリンタ２０は、電力消費量を抑制するために、必要に応じて消費電力量の異なる複数のモードを択一的に実行するようになっている。例えば、複数のモードとしては、定着ローラーを定着温度に維持して画像形成のために各ユニットを稼動して画像を形成する印刷ジョブ実行モード、起動時や復帰時など急速に定着ローラーを加熱するとともに適宜プロセスコントロールを実行する起動モード、定着ローラーを使用時温度近傍に維持して印刷ジョブを待機する第１の待機モード、定着ローラー温度をさらに低下させコントローラ６０を主体として通電する第２の他の待機モード、出力エンジン部５０には電源を供給せず、最低限のコントローラ６０の機能を実行可能に通電するさらに他の第３の待機モードなどが挙げられる。
【００２７】
また、省電力モードとは、電源部４０からコントローラ６０及び／又は出力エンジンユニット７２に対する電源供給を制限するモードである。たとえば、最も電力消費量が大きい印刷ジョブ実行モードあるいは起動モードよりも電力供給が制限されているモードであれば、省電力モードであるといえる。したがって、上記した各種の待機モードはいずれも省電力モードである。
【００２８】
また、起動時における省電力モードとしては、起動モードにおける一連の処理ないし動作のうち、少なくとも一部の処理又は動作の実行を制限あるいはその内容を一部制限して、通常時よりも消費電力量が少なくなるような動作モードが挙げられる。したがって、上記各種の待機モードのほか、起動モードにおいてなんらかの電力供給の制限を行う場合には、省電力モードであるといえる。
【００２９】
次に、こうして構成された実施例のプリンタ２０の動作、特に、プリンタ２０のコントローラ６０への電源供給の開始及び停止をタイマーにより行うとともに、省電力モードで起動する動作について説明する。図４は、コントローラ６０により実行されるプリンタ２０における電源供給制御の一例を示すフローチャートである。この処理は、タイマー４３が予め定められた時間にオンされた際に実行される。
【００３０】
電源供給制御では、まず、タイマー４３がオンされると、コントローラ６０及びインターフェース５２とにのみ電源が供給される（ステップＳ１００）。これにより、コントローラ６０は、インターフェース５２を介してクライアント８０から印刷ジョブ信号を受信可能な状態となる。コントローラ６０は、次に、印刷ジョブ信号があるかどうかを監視し（ステップＳ１１０）、印刷ジョブ信号がなく、タイマー４３によりオフされないのであれば（ステップＳ１７０）、繰り返し印刷ジョブ信号の有無を監視する（ステップＳ１１０）。この結果、印刷ジョブ信号が検出されない間は、コントローラ６０及びインターフェース５２のみに電源が供給される一方、出力エンジン部５０及び出力エンジンコントローラ７０への電源供給がされず、コントローラ６０がインターフェース５２を介して印刷ジョブ信号の受信を待機する省電力モードが継続される。
【００３１】
一方、コントローラ６０が印刷ジョブ信号を受信すると、コントローラ６０は、出力エンジン部５０及び出力エンジンユニット７２への電源供給を開始可能に電源スイッチ４２を操作する（ステップＳ１２０）。これにより、タイマー４３によるオン後に、初めて出力エンジン部５０及び出力エンジンコントローラ７０に電源供給が開始されて省電力モードが解除される。
【００３２】
こうして、コントローラ６０は、コントローラ６０とインターフェース５２とにのみ電源を供給していた省電力モードを解除し、出力エンジンコントローラ７０を介して出力エンジン部５０の定着ユニット２９を昇温させるとともに各部について一連の調整動作を行う起動モードを実行する（ステップＳ１３０）。そして印刷動作可能な状態になると印刷ジョブ信号に基づいて出力エンジン部５０によって印刷ジョブを実行する（ステップＳ１４０）。
【００３３】
印刷ジョブが完了すると、出力エンジン部５０における印刷ジョブの実行の完了を検知した出力エンジンコントローラ７０から、印刷ジョブ完了信号をコントローラ６０が受信する（ステップＳ１５０）。印刷ジョブ完了信号を受信したコントローラ６０は、電源スイッチ４２を操作して出力エンジン部５０及び出力エンジンコントローラ７０への電源供給を停止する（ステップＳ１６０）。これにより、出力エンジン部５０及び出力エンジンコントローラ７０への電源供給は停止され、再び、コントローラ６０にのみ電源が供給された省電力モードとなる。
【００３４】
こうしてタイマー４３がオンされた後オフされるまで（ステップＳ１７０）の間は、コントローラ６０には継続して電源が供給される。そして、コントローラ６０は、この間、印刷ジョブ信号を監視し（ステップＳ１１０）、印刷ジョブ信号を受け付けるまでは出力エンジン部５０及び出力エンジンコントローラ７０への電源供給を開始せず、印刷ジョブ信号を受け付けると、出力エンジン部５０と出力エンジンコントローラ７０に電源供給を開始し印刷ジョブを実行し（ステップＳ１２０〜１４０）、印刷ジョブ終了後は再び、これらへの電源供給を停止する（ステップＳ１５０、１６０）ことを繰り返すのである。
【００３５】
図５には、プリンタ２０における消費電力のタイムチャート（実線）を示す。ここでは、タイマー４３が朝８時にオンし午後６時にオフするように設定された場合を例示する。図５に示すように、朝８時にコントローラ６０とインターフェース５２とに電源供給が開始されると、最初の印刷ジョブ信号を検出する朝９時半まではコントローラ６０とインターフェース５２とにのみ電源が供給され低消費電力量の省電力モードとされる。印刷ジョブ信号を検出すると、出力エンジンユニット７２への電源供給が開始され印刷動作可能とし印刷ジョブを実行する起動モード及び印刷ジョブ実行モードが実行されるため、消費電力が上昇しジョブ実行の間維持される。その後、印刷ジョブが完了すると、直ちに出力エンジンユニット７２への電源供給が停止され、再びコントローラ６０とインターフェース５２とにのみ電源が供給された省電力モードとされる。
【００３６】
以上説明した実施例によれば、電源供給が開始されたときであっても、画像出力動作可能な状態とはされない。このため、無駄な起動動作が排除されることになる。また、本実施例によれば、コントローラ６０及びインターフェース５２にのみ電源を供給する省電力モードを実行するようになっている。このため、不必要に出力エンジン部５０等を印刷動作可能な状態に起動するための動作とこれに用いる電力を節約することができる。
【００３７】
また、本実施例では、特に、タイマーにより電源供給が開始されるようになっているが、タイマーにより電源がオンされる場合には、無駄に起動モードが実行されることが多い。本実施例によれば、そのような無駄が排除されている。なお、タイマーによって電源供給が開始されるほか、例えば、印刷頻度は低いが諸事情によりプリンタ２０の電源を投入しておきたい場合のほか、タイマー、ＷＯＬやＢＩＯＳによりプリンタ２０に電源が投入される場合にも、同様に無駄な動作や電力消費を排除することができる。
【００３８】
さらに、本実施例のタイマー４３は、電源コネクタ４１からコントローラ６０への電源供給路４５上の電源スイッチ４４をオン／オフするものであるため、タイマー４３による当該電源スイッチ４４のオン／オフだけで、容易にコントローラ６０やインターフェース５２への電源供給制御の時間管理が行われるようになっている。また、タイマー４３を備えることで、コントローラ６０への電源供給の開始及び停止を自動化しつつ、電力消費を低減することができる。
【００３９】
さらにまた、本実施例では、電源部４０は、電源コネクタ４１からの商用電源をコントローラ６０側と出力エンジン部５０側とにそれぞれ別個に供給するように供給経路４５、４６を備えている。このため、これら双方への電源供給制御を容易に行えるとともに、これらに対してそれぞれ電源部を備えないために、回路の複雑化が回避されている。
【００４０】
また、本実施例では、コントローラ６０は、印刷ジョブを受信するまでコントローラ６０とインターフェース５２にのみ電源供給し、出力エンジン部５０側への電源供給を開始しないようになっている。すなわち、印刷ジョブ信号を受けて初めて省電力モードが解除されるため、電力消費が効果的に低減される。
【００４１】
前記電源供給制御手段は、前記画像出力手段からの画像出力完了信号を受信したとき、前記画像出力手段への電源供給を停止する手段とすることができる。こうすることで、出力完了信号受信後の待機時間のための電力消費を回避できる。
【００４２】
ここで、本実施例においては、プリンタ２０が本発明の画像形成装置に相当し、出力エンジン部５０及び出力エンジンコントローラ７０を含む出力エンジンユニット７２が本発明の画像出力手段に相当し、インターフェース５２とコントローラ６０が本発明の制御手段に相当し、電源部４０が本発明の電源供給手段に相当し、電源供給制御(ステップＳ１００〜ステップＳ１６０)を実行するＣＰＵ６１が、本発明の電源供給制御手段に相当し、タイマー４３が本発明のタイマー手段に相当する。
【００４３】
なお、本実施例では、省電力モードを、コントローラ６０とインターフェース５２とに電源を供給し、他に供給しないものとしたが、例えば、出力エンジンコントローラ７０や出力エンジン５０の一部には電源を供給するようにしてもよい。例えば、定着ユニット２９を昇温させないが、プロセスコントロールのみを行うものとしてもよい。また、これらの起動時に実行する省電力モードについて、ユーザが実行する動作や実行を抑制する動作を予め選択して設定しておくこともできる。
【００４４】
なお、本実施例では、タイマー４３によって電源供給が開始及び停止するものとしたが、これに限定するものではなく、ＢＩＯＳ、ＷＯＬなどにより電源供給の開始及び停止を時間管理してもよい。また、プリンタ２０に備えられる電源スイッチ４２のオン操作により電源供給を開始するものとしてもよい。
【００４５】
また、本実施例では、コントローラ６０に電源供給が開始された後、印刷ジョブ信号を受信するまで省電力モードとすることとしたが、コントローラ６０への電源供給開始から所定期間経過後、コントローラ６０内に設けたタイマー等により省電力モードを解除して印刷動作可能に起動モードを実行するようにすることもできる。こうすることで、省電力モードで起動後に印刷動作可能となる時間が管理されるため、画像出力が頻繁に行われる時間に合わせて、印刷動作可能な状態にすることができる。例えば、午前８時〜午前９時半までは、プリンタ２０の使用頻度が低いため省電力モードで起動しておくが、午前９時半以降は使用頻度が上昇するような場合には、９時半に省電力モードが解除されて起動モードが実行されることで、電源供給開始時の電力消費の無駄を回避しつつ、出力頻度の高い時間帯に印刷動作可能として利便性を確保することができる。
【００４６】
以上説明した実施例では、画像形成装置としてカラーレーザプリンタを具体例に挙げて説明したが、画像形成装置はこれに限定されないで、色毎に感光体，現像器を持つタンデム方式等の他の構成であってもよい。さらに、画像形成装置としては、モノクロレーザプリンタ、カラーレーザプリンタやインクジェットプリンタなどの各種のプリンタに適用してもよく、複写機などのプリンタ以外の印刷装置やスキャナ機能等印刷以外の機能を備えた複合機に適用してもよい。
【００４７】
また、本実施例では、ネットワークとしてＬＡＮ１２を介するものとしたがこれに限定するものではなく、端末とプリンタのみからなる構成であってもよい。
【００４８】
さらに、本実施例では、本発明を、カラーレーザープリンタを具体例とした画像形成装置及び画像形成装置を備える画像形成システムの形態として説明したが、画像形成装置の制御方法の形態、画像形成装置の制御プログラムないしかかるプログラムを記憶したコンピュータ読み取り可能な記憶媒体の形態としてもよい。
【００４９】
以上、本発明の実施の形態について実施例を用いて説明したが、本発明はこうした実施例に何等限定されるものではなく、本発明の要旨を逸脱しない範囲内において、種々なる形態で実施し得ることは勿論である。
【図面の簡単な説明】
【００５０】
【図１】プリンタ２０の電源構成の概略を示す図。
【図２】プリンタ２０の構成の概略を示す構成図。
【図３】コントローラ６０における制御信号の入出力を示すブロック図。
【図４】プリンタ２０の電源供給制御の一例を示すフローチャート。
【図５】プリンタ２０における消費電力のタイムチャート。
【符号の説明】
【００５１】
１２  ＬＡＮ、２０  カラーレーザプリンタ、２１  感光体、２２  露光器、２３  現像器、２４  転写ベルト、２５  一次転写ユニット、２６  用紙カセット、２７  搬送ユニット、２８  二次転写ユニット、２９  定着ユニット、３２Ｃ，３２Ｍ，３２Ｙ，３２Ｋ  トナーカートリッジ、４０  電源部、４１  電源コネクタ、４２  電源スイッチ、４３  タイマー、５０  出力エンジン部、５２  インターフェース、６０  コントローラ、６１  ＣＰＵ、６２  ＲＡＭ、６３  ＲＯＭ、６４  露光器駆動制御部、６５  現像器駆動制御部、６６  一次転写ユニット駆動制御部、６７  二次転写ユニット駆動制御部、６８  定着ユニット駆動制御部、６９  搬送ユニット駆動制御部、７０出力エンジンコントローラ、７２  出力エンジンユニット、８０  クライアントコンピュータ。
【図１】
2006272636.tif 000003
【図２】
2006272636.tif 000004
【図３】
2006272636.tif 000005
【図４】
2006272636.tif 000006
【図５】
2006272636.tif 000007